(57)【要約】  犬用のハーネスは、犬の胴を囲む胴のストラップが、犬の胸を囲む胸のストラップと犬の背中にまわる肩のストラップに結合している。胸のストラップには細長いリンカーが設けられている。リードを取り付けるコネクターが細長いリンカーの両端に設けられている。リードがいずれかのコネクターに取り付けられた時、リードが引っ張る方向にリード・コネクターがスライドし、その際、細長いリンカーから動物が認知できる音が出て、訓練の助けとなる。リードで細長いリンカーが最も縮まるところまで横に引くと、犬の胸の中心がずれて、反射作用で引く力が低下する。
2017514529.tif 000002
【特許請求の範囲】
【請求項１】
動物の胴回りに装着するハーネスであって、少なくとも一本の上側の肩のストラップと、少なくとも一本の下側の胴のストラップと、２本の胸のストラップと、細長いリンカーとを含む、ハーネス。
【請求項２】
前記細長いリンカーは両方の胸のストラップに係合し、前記細長いリンカーは２つの開口部をぬけて両端にリード取り付け用とストッパー用の円形のリングとを設け、
前記細長いリンカーを前記動物の胴の反対に向かって引くことで、ストッパーで止められた前記細長いリンカーが縮まり、まず、胴回り最大の位置が抑制され、前記開口部を通った前記細長いリンカーが動くため、次により狭い胴回りの位置、そして最小の胴回りの位置まで抑制され、前記最小の胴回りの位置は、前記動物の胴回りを抑制しないように、前記動物の胴回りのサイズと限りなく近いものとする、請求項１に記載のハーネス。
【請求項３】
前記細長いリンカーは両方の胸のストラップに係合し、前記細長いリンカーは２つの開口部を通り両端を一つの円形のリングで結合し、前記細長いリンカーはループ状になっており、
リードが取り付けられて前記細長いリンカーを前記動物の胴の反対に向かって引くことで、前記細長いリンカーが縮まり、まず、胴回り最大の位置が抑制され、前記開口部を通った前記細長いリンカーが動くため、次により狭い胴回りの位置、そして最小の胴回りの位置まで抑制され、前記最小の胴回りの位置は、前記動物の胴回りを抑制しないように、前記動物の胴回りのサイズと限りなく近いものとする、請求項１に記載のハーネス。
【請求項４】
前記動物の胴回りとは、前記動物の胸回りのことである、請求項１に記載のハーネス。
【請求項５】
前記開口部の一方または両方を通る前記細長いリンカーの動きによって、前記動物が認識できる音を発する、請求項１に記載のハーネス。
【請求項６】
前記音は前記動物の訓練の援助とする、請求項５に記載のハーネス。
【請求項７】
前記細長いリンカーは鎖である、請求項１に記載のハーネス。
【請求項８】
前記鎖は捩り（ツイスト・リンク）チェーンである、請求項７に記載のハーネス。
【請求項９】
前記リンカーの素材は、最高の訓練効果を得るために、前記動物が訓練中に聞き取れる最適な音を発するものである、請求項７に記載のハーネス。
【請求項１０】
前記リンカーの素材は、最高の訓練効果を得るために、前記動物が訓練中に聞き取れる最適な音の強弱がつけられる、ゲージのある鎖である、請求項８に記載のハーネス。
【請求項１１】
前記肩のストラップと前記胴のストラップは、肩から胴にかけて輪になるように、第一のコネクターに約１８０度の角度で取り付けられており、前記胸のストラップは、肩から胴にかけての前記輪に対して９０度の角度で前記第一のコネクターに取り付けられている、請求項１に記載のハーネス。
【請求項１２】
前記肩のストラップ、前記胴のストラップ、前記胸のストラップのそれぞれに、少なくとも一つの長さを調節する調整手段が設けられている、請求項１に記載のハーネス。
【請求項１３】
前記肩のストラップまたは前記胴のストラップに、少なくとも一つのバックルが設けられている、請求項１に記載のハーネス。
【請求項１４】
前記上側の肩のストラップに、犬と至近距離で歩く場合やリードなしの訓練時に使用するリードを取り付ける、２つの半円のコネクターが設けられている、請求項１に記載のハーネス。
【請求項１５】
前記ハーネスの前記開口部はリングの形状である、請求項１に記載のハーネス。
【請求項１６】
前記リングはＯ型リングである、請求項１５に記載のハーネス。
【請求項１７】
前記リングはＤ型リングである、請求項１５に記載のハーネス。
【請求項１８】
前記ハーネスの前記第一コネクターの形状は、リング型、長方形または、正方形である、請求項１５に記載のハーネス。
【請求項１９】
前記リングはＯ型リングである、請求項１８に記載のハーネス。
【請求項２０】
前記リングはＤ型リングである、請求項１８に記載のハーネス。
【請求項２１】
前記コネクターは長方形のコネクターである、請求項１８に記載のハーネス。
【請求項２２】
前記コネクターは正方形のコネクターである、請求項１５に記載のハーネス。
【請求項２３】
動物の胴回りに装着するハーネスであって、第１端と第２端とを有する少なくとも一本の上側の肩のストラップと、第１端と第２端とを有する少なくとも一本の下側の胴のストラップと、一本の胸のストラップと、細長いリンカーとを備える、ハーネス。
【請求項２４】
前記胸のストラップは前記細長いリンカーが前記動物に直接触れないよう保護となる、請求項２３に記載のハーネス。
【請求項２５】
前記胸のストラップは、前記上側の肩のストラップの前記第１端および前記第２端で結合されるとともに、前記下側の胴のストラップの前記第１端および前記第２端で結合される、請求項２３に記載のハーネス。
【請求項２６】
前記胸のストラップは長さが調節できる、請求項２３に記載のハーネス。
【請求項２７】
前記胸のストラップは、さらにリンカーガイドを備える、請求項２３に記載のハーネス。
【発明の詳細な説明】
【技術分野】
【０００１】
これは２０１４年２月２４日出願したシリアル番号14/240(728)の一部継続出願である。そして、請求の優先は２０１２年５月２９日に出願したPCT登録番号PCT/GB2012/051209に基づく。以下、前述の特許出願の内容も参考として含んでいる。
【０００２】
技術分野
本発明は、効果的な犬のしつけ訓練およびコントロールをするための犬用ハーネス。
【背景技術】
【０００３】
背景技術
犬の訓練および犬を扱う上で、様々な道具が用いられるが、最も重要な道具の一つに歩行訓練用の物がある。今日では首輪、頭に装着してコントロールするヘッド・カラー、ハーネス（胴輪）などがある。首輪の歴史は最も古く、人と犬が共生を始めた頃から使われ、ハーネスはそりを引くために使われるようになった。ヘッド・カラーは前世紀の後半から使われている。
【０００４】
昔からハーネスは、犬の胴体に取り付け、胸を包囲してアンカーポイントにリードを付け、犬をコントロールするために使われていた。
【０００５】
従来のハーネスは音を使って、犬とコミュニケーションをとることができず、鎖など音の出るものが付いた物はない。従来のハーネスはコミュニケーションをとるための物ではなく、犬を「制御」する、例えば、前に引っ張る犬の動きなどを抑えるためにデザインされたものである。
【０００６】
首輪に対する考え方は、一般人、犬のトレーナー、獣医のいずれもあまり好意的ではなく、何年も前から犬とコミュニケーションをとるために使われていたチェック・チェーン（チョーク・チェーン）は今では使われなくなり、その評判もよくなかった。それらの代わりに、ハーネスやヘッド・カラーが使われるようになった。しかし、犬とコミュニケーションをとりながら、効果的なトレーニングをするための人道的な道具が必要だと考え、さらにハーネスは犬の飼い主、獣医、トレーナーに人気があることもあり、コミュニケーションのとれるハーネスの開発を考えた。
【発明の概要】
【課題を解決するための手段】
【０００７】
発明の概要
本発明は犬のハーネス、特にトレーニング用であり、効果的に犬をコントロールするための物である。現段階の発明は動物の胴回りに装着させる以下に示すのものとする。
【０００８】
−胴を包む一本のストラップが犬の脇の下にあること；
−胴を包む一本のストラップが犬の肩の上にあり、リング・コネクターで繋がり、胴を一周する形となっていること；
−さらに二本のストラップが９０度の角度でリングと繋がり、犬の胸前に位置すること；
−胸に伸びるそれぞれのストラップは細長いリンカーで繋がっている；そして、
−細長いリンカーは胸に伸びるストラップの開口部を通り、一つまたは二つのリングで止められていること。
【０００９】
利用者が細長いリンカーを動物の胴の反対に向かって引くことで、ストッパーで止められた細長いリンカーが縮まり、まず、胴回り最大の位置が抑制される。開口部を通った細長いリンカーが動くため、次により狭い胴回りの位置、そして最小の胴回りの位置で抑制される。
【００１０】
最小の胴回りの位置は、動物の胴回りを絞めつけないように、動物の胴回りのサイズと限りなく近いものとする。
【００１１】
動物の「胴周り」は動物の胸であることが好ましい。また、開口部を通った細長いリンカーが動く時に動物に聞こえる音を発することが好ましい。この音がトレーニングの助けとなる。
【００１２】
もう一つの好ましい具体例として、細長いリンカーは、鎖（チェーン）である。さらにもう一つの好ましい具体例として、リンカーとして使用される素材は、最適な訓練を可能にするために、動物が察知できる音の出る素材を含むものとする。
【００１３】
素材は、最適なトレーニングの反応が得られ、動物が察知できる音が強弱できるゲージのある鎖が好ましい。
【００１４】
さらにもう一つの好ましい具体例として、動物の胴回りにフィットさせる位置および／または調節のための装置を含む。
【００１５】
留め具は、バックルおよび各ストラップには長さを調節するスライダーを含み、それぞれの装置を通る箇所のストラップは二重とし、胴回りにしっかりとフィットするよう調節できる。
【００１６】
ストッパーの好ましい具体化として、ストッパーはつなぎ縄を付けるにふさわしい物とする。さらに、好ましい具体化として、ストッパーをつなぎ縄に永久的に固定する。さらなる具体化として、開口部分は、リング型、例えばＯ型リングまたはＤ型リングを使う。ストッパーは、実質的に環状が好ましい。
【発明の効果】
【００１７】
本発明は家庭犬の正しい脚側歩行（ヒール／付け）訓練用の物である。歩行中に犬が引っ張るとハーネスの両端に金具のリングが付いた鎖が締まる。犬の位置は右左どちらでも歩行可能である。リードはどちらのリングにも付けられ、鎖はトレーナーの進行方向に対してスライドして締まる。
【００１８】
リードが引っ張られると、犬の胸に位置した鎖が締まり、その際に金属のリングにスライドして犬が聞こえる金属音を発する。犬はハーネスが最もきつく締まる直前にこの音を聞くことになる。従って、この音が事前の警告音または早期の注意シグナルとして認知される。この音で犬はハーネスが締まることに気づき、きつくなる前に引っ張ることを止める。
【００１９】
本発明は、トレーナーおよびハンドラーが鎖の金属音と同時に言葉による指令を発することで犬とコミュニケーションをとることができ、従ってトレーナーおよびハンドラーは、犬の胸の部分を絞めたり緩めたりすることで、トレーニングの原則である条件付けを可能にする。
【００２０】
図面の簡略説明
本発明で使用する物および特徴は、新規な物と確信し、添付の請求項にその特徴を記述している。本発明の構成と使い方、さらに追加で使用する部材とその利点の説明は、添付の図を参照することで理解いただける。
【図面の簡単な説明】
【００２１】
【図１】本発明の好ましい具体例、細長いリンカーの両端にリードを取り付ける／ストッパーとなるリングを付ける。
【図２】また、好ましい具体例として、細長いリンカーが一般的なリードを取り付けるリング一つで繋ながり、輪になっている。
【図３】犬の胴に装着した好ましい具体例の側面図である。
【図４】犬の胴に装着し、犬と至近距離で歩く場合やリードなしの訓練時に使用するリードを脇にあるコネクターに付けた好ましい具体例の側面図である。
【図５】一つのリングを使用した細長いリンカーの後ろ側に、胸前ストラップを付けた好ましい具体例代案の斜視図である。
【図６】二つのリングを使用した細長いリンカーの後ろ側に、胸前ストラップを付けた好ましい具体例代案の斜視図である。
【図７】図６の好ましい具体例代案を装着した斜視図である。
【図８】図６の好ましい具体例代案を装着し、細長いリンカーの端に付いたリングにリードを取り付けた斜視図である。
【図９】三角形コネクターの斜視図である。
【発明を実施するための形態】
【００２２】
好ましい具体例の詳細説明
好ましい具体例を図を用いて、詳細に説明する。使用される部材すべてに参照番号を記している。以下の解説は、本発明には多数の具体化があるということを、説明の目的とする。ここに記述した特定の詳細以外を用いての実施が可能であることは明白である。
【００２３】
次の項目で、具体例を添付図を使ってさらに詳しく説明する。この説明を通して示す好ましい具体化および実施例はあくまでも見本であり、本発明の限定ではない。「本発明」は、ここに記述した発明の具体例および同等のものすべてを言及する。さらに、本書面に記述された「本発明」の様々な特徴、申告具体例またはその方法すべてを含まない場合もある。技術に精通した人であれば、以下の説明から類似品を具体化することは可能であるが、本発明は最良の形態を熟慮し発明された。しかし、ここに本発明の犬用ハーネスの原則が明確に記述されているので、技術に精通した人が見れば、様々な改造案が考えられることは明らかである。
【００２４】
様々なタイプのリング・コネクターを使う。円形のリング・コネクターは数本のストラップを繋ぐことができ、各々回転することができる。「長方形のコネクター」は、強固な素材で作られた長方形のリングで、少なくとも３本のストラップを繋ぐことができる。長方形のコネクターは繋がれたストラップの向きを制限するので、望ましい角度が固定された場合に選択する。２本のストラップを長方形のコネクターに繋ぐ場合は、細長い長方形のコネクターを選択する。３本または４本のストラップを長方形のコネクターに繋ぐ場合は、正方形に近いコネクターを選択する。ストラップを３本繋ぐ場合は、三角形のコネクターを選択する可能性もある。ここに記述した「第一のコネクター」とは、肩、胴、胸のストラップを繋ぐ、ハーネスの両側に付けられた円形のリング・コネクターのことである。
【００２５】
半円のリング、または「Ｄリング」コネクターは、カーブした部分はスライドするが、平らな部分はスライドしない。Ｄリングは「第二のコネクター」、胸のストラップに平らな面を取り付け、細長いリンカーを通す開口部としての利用に適している。リンカーの両端に付けるコネクターは、円形のリング・コネクターが好ましい。一つはリードを取り付けるため、もう一方はストッパーとして機能する。
【００２６】
もう一つの具体例として、リードを取り付けるリング一つで細長いリンカーを輪のように繋げ、ストッパーを使わないものがある。
【００２７】
いずれの具体例もリードが引かれることにより、犬の胸前にある鎖がハンドラーの方向に、金属のリングを滑りながら締まり、犬が「聞き取れる」、金属音を発する。この音は、ハーネスの胸部分が絞まる警告、早期シグナルとして犬に察知させ、犬が引っ張ることを止める訓練ができる。ハーネスの胸部分が絞まると、犬は引かれた方向に向きを変える。細長いリンカーをハンドラーが引くことで、中心がスライドし、左右にかかわらず、犬をハンドラーの方へ向かせて訓練をすることができる。
【００２８】
「調整用スライダー」は、狭い長方形で中心にセンター・バーのあるコネクターとする。本発明では、胴の形態及びサイズを合わせるために調整用スライダーを、肩の上部、胴の下部と胸のストラップ両方に設ける。調整用スライダーのセンター・バーに一本のストラップを固定し、ストラップのもう一方をスライダーの第一の穴を通し、センター・バーを越えて、次の穴をぬけ、接続される。調整用スライダーの形状は、ストラップの素材と関連し、強い力で引かれても、犬の通常の動作にも滑らないことを考慮する。
【００２９】
「細長いリンカー」の長さは、ハーネスのサイズによって異なるが、通常の長さは２から８インチである。
【００３０】
本発明で使用する着脱用コネクターには、様々な種類がある。以下、着脱用コネクターを「バックル」と呼び、ここに記述されていない着脱用コネクターも含む。図に使われているものは、好ましいバックル案で、クイックリリース・バックル、スタンダード・バックル、フック、または面ファスナーを使う場合もある。
【００３１】
ストラップの素材にも様々な種類がある。快適さと優れた調節力から、帯ひもが好ましい素材である。容易に縫い合わせることができ、また引っ張られてもスライダーで止めた位置がずれない。帯ひもの素材はナイロン、綿、または他の素材を使う。コネクターに取り付けられるストラップの端は、犬の皮膚とすれ合うことを避けるために、ハーネスの外側に出して縫い付ける。
【００３２】
先行で発案されたハーネスは数多くある。リードを取り付けるコネクターが背中の上や後ろ側に位置するものは、犬が引っ張った時に胸の中心に圧力がかかる為、それが引き金となり、犬が反射的に前方へ引っぱるよう誘導してしまう。
【００３３】
図１を詳細に説明する。ハーネス１５は、胴の下を通るストラップ１、肩の上のストラップ２、さらに９０度の角度でコネクター４ａと４ｂに連結しているストラップ３ａと３ｂからなる。この三本のストラップを連結するコネクターは、各々適切なものが使われる。胸の前に伸びるストラップ５ａと５ｂは長さを調節する調整用スライダー８ａと８ｂを設け、胸の中心部には細長いリンカーを通す開口部となる７ａと７ｂを設ける。細長いリンカー６は７ａと７ｂを通り、外側に円形のリング・コネクター９ａと９ｂを設ける。一方のリングにリードを取り付け、もう一方がストッパーとして機能する。リング・コネクター９ａと９ｂは、犬をどちら側に歩かせるかでリードを付ける側を変えることができる。バックル１０は肩の上を通るストラップに設け、調整用スライダー１１はバックル１０の近くに設ける。二つ目のバックル１２と調整用スライダーは胴の下を通るストラップ１に設け、ここから着脱することもできる。バックル１２を設けない場合は、調整用スライダーはコネクターの４ａまたは４ｂの近くに設け、胴の下を通るストラップ１の長さが調節できるようにする。コネクター４ａと４ｂの上を通るストラップ２には、二つの半円リング（Ｄリング）１４ａと１４ｂを設け、犬と至近距離で歩く場合やリードなしの訓練時に使用する。
【００３４】
図２を詳細に説明する。ハーネス１５は、胴の下を通るストラップ１、肩の上のストラップ２、さらに９０度の角度でコネクター４ａと４ｂに連結しているストラップ３ａと３ｂからなる。この三本のストラップを連結するコネクターは、各々適切なものが使われる。胸の前に伸びるストラップ５ａと５ｂは長さを調節する調整用スライダー８ａと８ｂを設け、胸の中心部には細長いリンカーを通す開口部となる７ａと７ｂを設ける。細長いリンカー６は７ａと７ｂを通り、一つの丸いリング・コネクター９で繋げる。これにより、どちら側でも犬を歩行させることが可能になる。バックル１０は肩の上を通るストラップに設け、調整用スライダー１１はバックル１０の近くに設ける。二つ目のバックル１２と調整用スライダー１３は胴の下を通るストラップ１に設け、ここから着脱することもできる。バックル１２を設けない場合は、調整用スライダーはコネクターの４ａまたは４ｂの近くに設け、胴の下を通るストラップ１の長さが調節できるようにする。コネクター４ａと４ｂの上を通るストラップ２には、二つの半円リング（Ｄリング）１４ａと１４ｂを設け、犬と至近距離で歩く場合やリードなしの訓練時に使用する。
【００３５】
図３を詳細に説明する。ハーネス１５を犬１００に装着した側面、正しい装着を表す。胴の下を通るストラップ１と肩の上を通るストラップ２は胴を囲むように繋がり、胸の前に向かうストラップ３ｂが繋がっている。ストラップ１と２は犬１００にとって心地のよいサイズにフィットさせる。胸のストラップ３ｂは地面と水平、平行になるように長さを調節する。肩と胴のストラップが胸の方に引っ張られてはならない。
【００３６】
図４を詳細に説明する。ハーネス１５を犬１００に装着し、短いリード１６をＤリング１４ｂに取り付けた。犬と至近距離で歩く時やリードなしの訓練時に使う。
【００３７】
図５を詳細に説明する。ハーネス１５の具体例の代案である。このハーネスは胴回りのストラップ１、肩の上のストラップ２、胸周りのストラップ３からなる。ストラップ１、２、３はそれぞれ９０度の角度でコネクター４ａと４ｂで結合されている。図１の具体例と比べ、ストラップ３には切れ目がない。長さの調節を容易にし、細長いリンカー６が犬の胸に直接当たらないよう防護の役目もする。胸前のストラップ３は、コネクター７ａと７ｂの後ろ側のポイント５ａと５ｂに縫い付けることでフィット感を向上させる。細長いリンカー６は図１（リング二つ）または図２（リング一つ）のどちらも応用できる。
【００３８】
図６を詳細に説明する。ハーネス１５の具体例のさらなる代案である。胸前のストラップが３ａと３ｂからなり、細長いリンカー６の後ろに別のストラップ１４を設ける。図６では、細長いリンカーに９ａと９ｂの二つのリングが付いている。ストラップ１４はフィット性を高めるために、細長いリンカーより１から１．５インチ短いものが好ましい。さらにストラップ１４の素材は、ストラップ３ａと３ｂとは異なる帯ひも（例：ナイロン）または伸縮性のある素材が好ましい。ストラップ１４はストラップ３ａと３ｂの接点５ａと５ｂに縫い付け、細長いリンカーのガイド１４ａを設ける。細長いリンカー・ガイド１４ａはリンカー６が垂れ下がってずれるのを防止する、帯ひもの様な素材が好ましい。また図６では、三角形のコネクター４ａと４ｂを表示している。「三角形」のコネクターは耐久性のある素材を使い、三本のストラップが結合できるようにする。このコネクターの拡大図は図９に表示している。三角形のコネクターは各々のストラップが動きによってずれることを妨げる。
【００３９】
図７は 図６のハーネスを装着した側面図である。図８はリード１７をリード・コネクター９ａに取り付けた図である。
【００４０】
上述の具体例の説明にあるように、ハーネス１５は動物が継続的に動いたり、継続的に引っ張ることでリード・コネクターの９ａまたは９ｂに圧力がかかっても、動物の胴に合わせてハーネス１５を装着していれば、全体的に締め付けることがないようデザインされている。
【００４１】
この特徴は、動物の胴回りの制限を防ぐ。重ねて使用することで、開口部７ａまたは７ｂを通るリンカー６の発する音が、トレーナーまたは飼い主のコマンドに服従しなかったことと動物が関連付けることができる。
【００４２】
動物は、この音を警告音として認識し、音を出さないように行動を改める。動物は聴覚の刺激で行動を修正する、従って訓練に最適なのだ。たとえば、動物がハーネス１５を装着して、リードに繋がれ、ハンドラーの決めた速度を超える速さで歩行をした場合、または「ストップ」のコマンドに従わなかった場合、開口部７ａまたは７ｂを通るリンカー６が音を発する。同時にハンドラーは、開口部７ａまたは７ｂを通るリンカー６の音が望まれない行動をとっている警告、注意音であることを言葉で犬に告げる。つまり、動物はコマンドに従い、ハーネス１５に設けられたリンカー６の音がしないよう、ペースを減速し、または引っ張ることを止める。
【００４３】
先行で発案されたリードを固定的に取り付けるタイプのハーネスとは異なり、ハーネス１５の特徴は、訓練及び非訓練に関わらず使うことができる。つまり、動物の動きを制限しないので、ハンドラーが言葉または視覚的な刺激を使い訓練をするときに装着する場合、またはまったく訓練はしない（例えば、訓練とは関係なく運動をしているなど）場合にも、使うことができる。非訓練モードは、リードなしまたはリードをハンドラーの最も近い方のコネクター・リング（９ａまたは９ｂ）に取り付ける。訓練モードはリード１７をハンドラーから最も遠い方のリングに取り付ける。
【００４４】
このように、改善された犬用のハーネスを記述した。上記の具体例を使い、様々な本発明の異なる位置や構造を説明した。しかし、この発明はここに記述された具体例以外の実施例もあり得るということも意図している。技術に精通した人であれば、上記の好ましい具体例の説明から本発明の主意に準じ構成することができる。従って、添付の請求項については、ここに記述された範囲以外の方法が使われることもある。
【００４５】
技術に精通した人であれば、ここに記述し請求する本発明の主意から遠くない改造、改良案を具体化することは可能である。下述のステップの順位は、記述通り実行されない場合がある。技術にある程度精通した人は、ここに記述したステップの順位にはバリエーションがあることに気づくだろう。重ねて、本発明の特徴、ステップ、構成の記述が具体的に記載されていない場合も含む。
【００４６】
本発明は、例として描写された構造や形状に制限されない、しかし、望まれる特徴を実現するために、代わりの構造および形状を使うこともある。ここでも、技術に精通した人は、ここに記述した本発明の構造、論理または物理的な仕切りや形状の代案が考察できる。また、ここで記述された多くの部材名以外のものを使用する場合もある。その上、フロー図、使い方の説明および方法の請求は、ここに記述されたステップに制限されるものではない。具体例の機能を実現するため、または明記されていない限り、記述されたステップに制限されない。
【００４７】
ここには本発明の具体化と実行の例を記述したが、様々な特徴、様相および機能は、特定の具体例のみで説明している。だからといって、特定の具体例のみに制限されるのではなく、必要とあれば単数、複数に関わらず設けることができ、組み合わせも様々ある。ここに記述されていないものも含め、本発明の特徴は、具体例で説明した。従って、本発明の範囲は幅広く、提示した具体例に束縛されない。
【００４８】
この書面で使われている用語及び表現、さらにそのバリエーションを含むもの、明確に提示されている場合を除き、制限としてではなく変更可能として解釈する。前述の例として：用語「含む」の意味は「制限なく、含まれる」またはそれに類似する場合；用語「例」の意味は、記述している物の模範的な事例であり、決定的ではなく、またここに記述された範囲に束縛されない；用語「一つの」の意味は、「最低でも一つ」、「一つまたは一つ以上」またはそれに類似する場合；さらに形容詞「従来の」「伝統的な」「規定の」「標準的な」「既知の」またはそれに類似する場合の意味は、明示した品目が暗示する時代やその時に手に入るものに制限されるものではない。その代り、従来の、伝統的な、規定の、標準的な、既知の技術は包囲的に現在存在するもの、または将来紹介されるものを含むものとする。ここでも、技術にある程度精通した人は、記述した本発明の包囲的に現在存在するもの、または将来紹介される技術を使い考察することができる。
【００４９】
複数の部材が「と、および」でつながる場合、必ずしもそれらの部材を共に使わなければならないことではない。明確に提示されている場合を除き、むしろ、「と、および／または」と解釈する。同様に複数の部材が「または」でつながる場合、必ずしもそれらの部材の一つを使わなければならないことではない。明確に提示されている場合を除き、むしろ、「と、および／または」と解釈する。さらに、本発明の部材、構成、または要素が単数形で提示、または請求されていた場合、明確に単数と提示されている場合を除き、複数形になり得る。
【００５０】
「一つまたはそれ以上」「少なくとも」「それだけではなく」など抽象的な言葉やフレーズ、またはそれに類似する言葉の場合、最小の値として解釈せず、また抽象的なフレーズが使われていない場合は、例に従うものとする。「モジュール」について、ここで具体例のモジュールとして記述した、要素、または機能がすべて一般的な具体例に含まれない場合もある。当然、モジュールを構成する要素の全てまたは一部には、制御の論理または他の構成要素、いずれかまたはどちらも含んだもの、および位置が異なるものも含まれる。
【００５１】
この書面を技術にある程度精通した人が読んだ場合、描写された好ましい具体例および記述した様々な好ましい具体例の代案の描写例を使わずに考察することができる。例えば、図表とその説明は、構成や機能の制限として解釈されるものではない。
【００５２】
ここで本発明の具体例を発表したことにより、技術に精通する人であれば作ることも使うことも可能になった。技術に精通する人であればここで述べた具体例以外の様々な変更案を、ここに述べた基本的な原理に基づき考察することができる。従って、本発明はここに記述した好ましい具体例に束縛されず、ここに記述した基本原理および特色を含むものとする。
【図１】
2017514529.tif 000003
【図２】
2017514529.tif 000004
【図３】
2017514529.tif 000005
【図４】
2017514529.tif 000006
【図５】
2017514529.tif 000007
【図６】
2017514529.tif 000008
【図７】
2017514529.tif 000009
【図８】
2017514529.tif 000010
【図９】
2017514529.tif 000011
【国際調査報告】
2017514529.tif 000012
2017514529.tif 000013